(57)【要約】【課題】安定した体裁のよい縦置き状態が得られる底剛性の高い底とじタイプの包装袋を提供する。【解決手段】上部開放で底とじ状に形成される袋本体２内に食品を収納できるようにした底とじタイプの包装袋１にあって、表面材３と裏面材４の両側部がサイドガゼット５，５を介して連なり、かつ、該表面材３と裏面材４の下部が接合されると共に、該サイドガゼット５，５の下部における表面側部分５ａと裏面側部分５ｂが底シール３４と一体的に連なるように表面材３と裏面材４の間に接合されるように袋本体２を構成する。【選択図】  図１
2005200067.tif 000002
【特許請求の範囲】
【請求項１】
上部開放で底とじ状に形成される袋本体内に食品を収納できるようにした底とじタイプの包装袋であって、
前記袋本体は、両側部がサイドガゼットを介して連なる表面材と裏面材の下部が接合され、かつ、該サイドガゼットの下部における表面側部分と裏面側部分が前記表面材と裏面材に接合されるように構成されることを特徴とする底とじタイプの包装袋。
【請求項２】
前記表面材と裏面材及びサイドガゼットは、ヒートシール性のない表シートの裏面にヒートシール性のある合成樹脂シートを一体化してなり、前記サイドガゼットの下部における表面側部分と裏面側部分には、それぞれ開口又は切欠が設けられ、前記表面側部分と前記裏面側部分が前記表面材と裏面材の間に挟まれた状態にて、前記表面材と裏面材が、前記開口又は切欠を介して、ヒートシールされることを特徴とする請求項１に記載の底とじタイプの包装袋。
【請求項３】
本発明に係る製袋方法は、両側部がサイドガゼットを介して連なる表面材と裏面材の下部が接合され、かつ、該サイドガゼットの下部における表面側部分と裏面側部分が互いに接合されるようにした上部開放で底とじ状に形成される袋本体内に食品を収納できるようにした底とじタイプの包装袋の製袋方法であって、
前記表面材と裏面材及びサイドガゼットは、ヒートシール性のない表シートの裏面にヒートシール性のある合成樹脂シートを一体化してなり、少なくとも前記表面材と裏面材及びサイドガゼットをヒートシールにより接合する接合工程の前段に、前記サイドガゼットの下部における表面側部分と裏面側部分に開口又は切欠を形成する工程を設定し、前記接合工程では、前記サイドガゼットの下部における表面側部分と裏面側部分を前記表面材と裏面材の間に挟んだ状態にて、前記開口又は切欠を介して、前記表面材と裏面材がヒートシールされることを特徴とする製袋方法。
【発明の詳細な説明】
【技術分野】
【０００１】
本発明は、底とじタイプの包装袋に係り、例えば、内部におにぎり等の食品を収納してスーパーやコンビニ等の店頭に陳列して販売される底とじタイプの包装袋に関する。
【背景技術】
【０００２】
おにぎり等の各種食品を包装するための包装袋は種々提案されており、最近では、意匠性を向上させ、かつ、食品を容易に取り出せるようにすることをも企図した縦置き式の角底付き包装袋が提案されている（例えば、特許文献１参照）。また、このような縦置き式の包装袋では、例えば、図８（ａ）に示すような角底を設けない底とじタイプの包装袋も提案されている。
【０００３】
この例では、袋本体１０１は、表面材１０３と裏面材１０４の両側がサイドガゼット１０５を介して連なり、表面材１０３と裏面材１０４の下部がヒートシール（熱溶着）され底シール１０６が形成されるように構成される。その表面材１０３と裏面材１０４は、例えば、ヒートシール性のない紙様シートの裏面にヒートシール性のある合成樹脂シートを一体化させたもの等が用いられる。
【０００４】
このような底とじタイプの包装袋は、図示のように、トレー１０７に載せたおにぎり１０８（例えば、３個）を上部開口１０９から内部に挿入してそのままの状態で収納することができる。収納した後は、図９に示すように、袋本体１０１の上部を一方に折り返して粘着テープやラベル等で貼り付けて上部開口を封止し、この状態で底シール１０６を何れか一方に折り曲げて陳列棚等に縦置き状に載置する。
【０００５】
【特許文献１】特開２００３−２９１９８６号公報
【発明の開示】
【発明が解決しようとする課題】
【０００６】
しかしながら、上記図８（ａ）（ｂ）及び図９に示すような底とじタイプの包装袋の場合、表面材１０３と裏面材１０４は、紙様シートの裏面にヒートシール性のある合成樹脂シートを一体化させたものであるため、そのサイドガゼット１０５の下部における表面側部分１０５ａと裏面側部分１０５ｂはヒートシール性のない紙様シート同士が対応するので接合されていない。即ち、包装袋の下部は、図８（ｂ）に示すように、底シール１０６の両側は、互いに接合されていないサイドガゼット１０５の表面側部分１０５ａと裏面側部分１０５ｂとに分離されている。
【０００７】
従って、陳列棚に載置する際に、その表面側部分１０５ａと裏面側部分１０５ｂが、図９に示すように、別々の方向に折り曲げられてしまうことがある。このような載置状態は人目に付きやすく体裁がよくない上に不安定でもあるため、店員がわざわざその表面側部分１０５ａと裏面側部分１０５ｂを同一方向に折り曲げるように揃え直さなければならなかった。また、底シール１０６の両端が、表面側部分１０５ａと裏面側部分１０５ｂに分離しているために底部の剛性が不足する難点もあった。
【０００８】
本発明は、このような実情に鑑みてなされ、安定した体裁のよい縦置き状態が得られる底剛性の高い底とじタイプの包装袋及びその製袋方法を提供することを目的とする。
【課題を解決するための手段】
【０００９】
（１）本発明に係る底とじタイプの包装袋は、上部開放で底とじ状に形成される袋本体内に食品を収納できるようにした底とじタイプの包装袋であって、
前記袋本体を、両側部がサイドガゼットを介して連なる表面材と裏面材の下部が接合され、かつ、該サイドガゼットの下部における表面側部分と裏面側部分が前記表面材と裏面材に接合されるように構成している。
【００１０】
底とじタイプの包装袋を縦置き状に載置する場合、底シールの部分を何れか一方に折り曲げた状態として陳列棚等に載置される。本発明の構成によれば、サイドガゼットの下部における表面側部分と裏面側部分が表面材と裏面材（底シール）に一体的に接合されているため、その表面側部分と裏面側部分を、底シールと同じ方向に折り曲げて安定した縦置き状態として載置することができる（図５参照）。また、その表面側部分と裏面側部分が底シールと一体的に連なるため、袋本体の底部の剛性が強化される。なお、そのサイドガゼットの下部における前記表面側部分と裏面側部分は、ヒートシールによって接合してもよく、接着剤で接合してもよい。
【００１１】
（２）前記表面材と裏面材及びサイドガゼットは、ヒートシール性のない表シートの裏面にヒートシール性のある合成樹脂シートを一体化してなり、前記サイドガゼットの下部における表面側部分と裏面側部分には、それぞれ開口又は切欠が設けられ、前記表面側部分と前記裏面側部分が前記表面材と裏面材の間に挟まれた状態にて、前記表面材と裏面材が、前記開口又は切欠を介して、ヒートシールされるようにしてもよい。
【００１２】
このように構成すれば、表面材と裏面材の下部をヒートシールして底シールを形成する際に、開口又は切欠を介して、前記表面側部分と前記裏面側部分を挟んだ状態で前記表面材と裏面材に同時にヒートシールすることができる。また、その紙様シートの表面に食感をそそるような意匠性に富んだ印刷等を施して顧客吸引力を向上させることができる。その紙様シートは、例えば、クラフト紙やレーヨン紙等の薄いヒートシール性のないシートをいう。なお、本発明でいう一体化とは、接着剤を用いて両シートをラミネートする場合、紙様シートにヒートシール性のある合成樹脂シートを溶着又は塗着する場合等を含む。この点については、以下の発明についても同じである。
【００１３】
あるいは、前記表面材と裏面材及びサイドガゼット等は、ヒートシール性のない合成樹脂シートの裏面にヒートシール性のある合成樹脂シートを一体化して形成してもよい。この場合、透明なシートを選択すれば、トッピング類を載せた食品、例えば、寿司やケーキ、ピザ等を外から確認することができる。また、透明なヒートシール性のない合成樹脂シートに意匠性に富んだ印刷等を施して顧客吸引力を向上させることもできる。
【００１４】
また、前記表面材又は裏面材の何れか一方が、紙様シートの裏面にヒートシール性のある合成樹脂シートを一体化してなり、他方が、ヒートシール性のない合成樹脂シートの裏面にヒートシール性のある合成樹脂シートを一体化してもよい。この場合、紙様シートの表面に意匠性に富んだ印刷等を施して顧客吸引力を向上させると共に、合成樹脂シートに透明なものを選択すれば、内部の食品を外から確認することができる。
【００１５】
（３）本発明に係る製袋方法は、両側部がサイドガゼットを介して連なる表面材と裏面材の下部が接合され、かつ、該サイドガゼットの下部における表面側部分と裏面側部分が互いに接合されるようにした上部開放で底とじ状に形成される袋本体内に食品を収納できるようにした底とじタイプの包装袋の製袋方法であって、
前記表面材と裏面材及びサイドガゼットは、ヒートシール性のない表シートの裏面にヒートシール性のある合成樹脂シートを一体化してなり、少なくとも前記表面材と裏面材及びサイドガゼットをヒートシールにより接合する接合工程の前段に、前記サイドガゼットの下部における表面側部分と裏面側部分に開口又は切欠を形成する工程を設定し、前記接合工程では、前記サイドガゼットの下部における表面側部分と裏面側部分を前記表面材と裏面材の間に挟んだ状態にて、前記開口又は切欠を介して、前記表面材と裏面材がヒートシールされるようにしている。
【００１６】
このような方法によれば、接合工程の前に、サイドガゼットの下部における表面側部分と裏面側部分に開口又は切欠を形成しておくことで、他に何ら別工程（例えば、接着工程等）を付加することなく、サイドガゼットの下部における表面側部分と裏面側部分を表面材と裏面材の間に一体化（接合）することができる。なお、紙様シートの裏面にヒートシール性のある合成樹脂シートを裏面に一体化させたラミネートシートは、表面材と裏面材及びサイドガゼットが一枚で形成されてもよく、表面材と裏面材及びサイドガゼットがそれぞれ別体に形成されてもよい。
【発明の効果】
【００１７】
本発明に係る底とじタイプの包装袋は、サイドガゼットの下部における表面側部分と裏面側部分が表面材と裏面材に接合されているため、その表面側部分と裏面側部分を、底シール（表面材と裏面材の下部）と同じ方向に折り曲げて安定した縦置き状態として載置することができる。また、そのサイドガゼットの一体化された表面側部分と裏面側部分が底シールと連なるため、袋本体の底部の剛性が一体的に強化される。
【００１８】
本発明に係る製袋方法は、接合工程の前に、サイドガゼットの下部における表面側部分と裏面側部分に開口又は切欠を形成しておくことで、他に何ら別工程（例えば、接着工程等）を付加することなく、サイドガゼットの下部における表面側部分と裏面側部分を表面材と裏面材の間に挟んだ状態に接合一体化することができる。これにより、安定した縦置き状態が得られ、かつ、剛性の高い底部を有する底とじタイプの包装袋を容易に形成することができる。なお、紙様シートの裏面にヒートシール性のある合成樹脂シートを裏面に一体化させたラミネートシートは、表面材と裏面材及びサイドガゼットが一枚で形成されてもよく、表面材と裏面材及びサイドガゼットがそれぞれ別体に形成されてもよい。
【発明を実施するための最良の形態】
【００１９】
以下に、本発明の最良の実施の形態に係る包装袋について図面を参照しつつ詳細に説明する。
図１は底とじタイプの包装袋１の正面図、図２は袋本体２の展開図、図３（ａ）（ｂ）は製袋方法の説明図、図４は食品（例えば、おにぎり３個）Ｒを収納する時の説明図、図５は食品Ｒを収納した状態の斜視図である。これらの図に示すように、袋本体２は、サイドガゼット５を介して連なる表面材３と裏面材４の下部同士を接合して底シール３４を形成して上部開放の底とじ状に構成すると共に、サイドガゼット５の下部における表面側部分５ａと裏面側部分５ｂを表面材３と裏面材４の下部に接合させ、内部に食品Ｒを収納した袋本体２を陳列棚等（図示省略）に安定な縦置き状に載置できるようにしている。
【００２０】
表面材３と裏面材４及びサイドガゼット５は、例えば、紙様シートの裏面にヒートシール性のある合成樹脂シートを一体化した一枚のラミネートシート７からなる。そのサイドガゼット５の下部における表面側部分５ａと裏面側部分５ｂには、図２に示すように、それぞれ開口５ｃ，５ｄが形成され、表面側部分５ａと裏面側部分５ｂが、表面材３と裏面材４の間に挟まれた状態にて、該開口５ｃ，５ｄを介して、表面材３と裏面材４のヒートシール性のある合成樹脂シート同士がヒートシールされることにより、表面側部分５ａと裏面側部分５ｂが、表面材３と裏面材４の間に一体的に接合されるようにしている。この表面側部分５ａと裏面側部分５ｂは、何ら別工程を要することなく、袋本体２のヒートシール工程にて、同時に接合することができる。
【００２１】
より詳しく説明すると、ラミネートシート７は、例えば、クラフト紙やレーヨン紙等の薄いヒートシール性のない紙様シートの裏面にヒートシール性のある合成樹脂シートを一体化したもの等が好適であり、その紙様シートには、例えば、食感をそそるような意匠性に富んだグラビヤ印刷等を施して顧客吸引力を向上させることができる。また、ヒートシール性のある合成樹脂シートには、例えば、ポリエチレン系樹脂シート（ＰＥ）やポリプロピレン系樹脂シート（ＰＰ）等を用いることができる。なお、上記「一体化」とは、接着剤を用いて両シートをラミネートする場合、紙様シートにヒートシール性のある合成樹脂シートを溶着又は塗着する場合等をいう。
【００２２】
ヒートシールされる部分について説明すると、図３（ａ）に一点鎖線で囲まれるハッチングで示すように、まず、表面材３と裏面材４の内面下部（下端縁）に所定幅の帯状に形成されるヒートシール部３ａ，４ａ同士が接合されることにより底シール３４が形成される。そして、表面材３と裏面材４の間に、表面側部分５ａと裏面側部分５ｂが挟まれた状態にて、開口５ｃ，５ｄを介して接し合う表面材３と裏面材４の内面同士がヒートシールされる。また、表面材３と裏面材４の両端縁のヒートシール部２１ｂ，２１ａが接合されることにより、表面材３と裏面材４の両側にサイドガゼット５，５が一体化される。さらに、その他の部分、つまり、表面材３及び裏面材４とサイドガゼット５の折り曲げ部の隣接し合う端縁２２ｂ，２２ｓ、２３ｓ，２３ａ、２４ａ，２４ｓ同士が接合される。
【００２３】
このような各部をヒートシールする接合工程の前段には、原反ロールから繰り出されたラミネートシート７に、サイドガゼット５の下部における表面側部分５ａと裏面側部分５ｂに開口５ｃ，５ｄを形成する開口工程が設定され、次いで、折曲工程が設定される。その折曲工程では、折り曲げ機（図示省略）により、図２に二点鎖線で示す折り曲げ箇所でラミネートシート７が折り曲げられ、図３（ａ）（ｂ）に示すような折曲体２Ａが形成される。なお、図示の例では、左右のサイドガゼット５の下部にそれぞれ一対の開口５ｃ，５ｄを形成しているが、複数対の開口を形成してもよい。
【００２４】
この折曲体２Ａは、その下部では、ヒートシール部３ａと４ａ、開口５ｃと５ｄ、表面側部分５ａと５ｂが対向し合うように、また、側部では、ヒートシール部２１ｂと２１ａ、２２ｂと２２ｓ、２３ｓと２３ａ、２４ａと２４ｓがそれぞれ対向し合うように、折り重ねられる。しかる後に、接合工程にて、ヒートシール装置（図示省略）により折曲体２Ａの上記各ヒートシール部同士が一度に加熱溶着される。その後、切断工程にて、所定ピッチで単一の包装袋１毎に切断される。従って、何ら別工程を要することなく、袋本体２の接合工程で、サイドガゼット５の下部における表面側部分５ａと裏面側部分５ｂを底シール３４と共に、表面材３と裏面材４の間に挟んだ状態で接合一体化させることができる。なお、サイドガゼット５の下部における表面側部分５ａと裏面側部分５ｂに開口５ｃ，５ｄを形成しない場合には、接着剤により表面側部分５ａと裏面側部分５ｂを接着してもよい。
【００２５】
このように、サイドガゼット５の下部における表面側部分５ａと裏面側部分５ｂが底シール３４と一体的に接合された袋本体２は、例えば、図４に示すように、外観がすっきりして見映えも向上する。そして、内部に食品Ｒを収納して包装袋１を陳列する際には、例えば、図５に示すように、表面側部分５ａと裏面側部分５ｂを底シール３４と同じ方向に折り曲げて安定した縦置き状態として載置することができる。また、その表面側部分５ａと裏面側部分５ｂが底シール３４と一体的に連なるため、袋本体２の底部剛性が強化される利点もある。なお、表面材３と裏面材４及びサイドガゼット５の折り曲げ部におけるヒートシール部２２ｂ，２２ｓ、２３ｓ，２３ａ、２４ａ，２４ｓは、接合部ではないが、これらのヒートシール部を形成することにより、袋本体２の保形剛性を格段に向上させることができる。
【００２６】
図６は、表面側部分５ａと裏面側部分５ｂに形成する開口５ｃ，５ｄに代えて切欠５ｅ，５ｆを形成した場合の展開図を示す。その切欠５ｅ，５ｆを形成するための工程は、折曲工程の前段に設定すればよく、これにより、前実施の形態と同様に、サイドガゼット５の下部における表面側部分５ａと裏面側部分５ｂを底シール３４と一体的に連なるように接合することができ、同様の作用効果が得られる。
【００２７】
図７（ａ）（ｂ）は、袋本体２の基本的な構成の異なる例を示し、図７（ａ）は、表面材３、裏面材４及びサイドガゼット５を一枚のラミネートシート７で形成し、その両端縁７ａ，７ａを裏面材４，４側で合掌形態に接合している。この場合、表面材３と裏面材４及びサイドガゼット５の左右の折り曲げ部の端縁３５，４５は、ヒートシールしてもよく、ヒートシールされなくてもよい。また、図７（ｂ）は、表面材３、裏面材４及びサイドガゼット５，５をそれぞれ別体に構成し、表面材３と裏面材４の左右の端縁をサイドガゼット５，５の端縁にヒートシールするようにしている。
【００２８】
このような構成の袋本体２においても、サイドガゼット５の下部における表面側部分５ａと裏面側部分５ｂの開口５ｃ，５ｄ又は切欠５ｅ，５ｆを形成するための工程を、折曲工程の前に設定すればよく、これにより、同様に、従来は接合できなかった表面側部分５ａと裏面側部分５ｂを、表面材３と裏面材４の間に挟んだ状態で底シール３４と一体的に連なるように接合一体化することができ、前実施の形態と同様の作用効果が得られる。
【図面の簡単な説明】
【００２９】
【図１】本発明の実施の形態に係る包装袋の正面図である。
【図２】同袋本体の展開図である。
【図３】は同製袋方法の説明図で、（ａ）は折曲体の斜視図、（ｂ）は（ａ）のＸ−Ｘ線矢視断面図である。
【図４】同食品を収納する際の包装袋の斜視図である。
【図５】同包装袋を縦置き状に載置した上記の斜視図である。
【図６】同開口に代えて切欠を形成した場合の展開図である。
【図７】（ａ）は同異なる袋本体の断面図、（ｂ）は同別の袋本体の断面図である。
【図８】従来の包装袋の一例を示す上部開放状態の斜視図である。
【図９】同包装袋の陳列状態を示す斜視図である。
【符号の説明】
【００３０】
１…包装袋、２…袋本体、３…表面材、４…裏面材、５…サイドガゼット、５ａ…表面側部分、５ｂ…裏面側部分、５ｃ，５ｄ…開口、５ｅ，５ｆ…切欠
【図１】
2005200067.tif 000003
【図２】
2005200067.tif 000004
【図３】
2005200067.tif 000005
【図４】
2005200067.tif 000006
【図５】
2005200067.tif 000007
【図６】
2005200067.tif 000008
【図７】
2005200067.tif 000009
【図８】
2005200067.tif 000010
【図９】
2005200067.tif 000011